(57)【要約】【課題】トイレットペーパー収納庫と、トイレ用ゴミ容器とを、一体化し、且つ、狭く千差万別な一般家庭のそれぞれのトイレスペースに対応できるトイレットペーパー収納庫付きトイレ用ゴミ容器を提供する。【解決手段】トイレットペーパー収納庫の上にトイレ用ゴミ容器を着脱可能に積み重ね、一体化させる事によって、トイレ用ゴミ容器の占める床面積の中にトイレットペーパー収納庫を納め、省スペースを計り、手近かに置く事によってトイレットペーパーの補充を容易にする。さらに該容器の底面積をトイレットペーパーのロール紙の外径の２個分、３個分、４個分、５個分、６個分がちょうど入る大きさにする事によって、狭く、千差万別なそれぞれのトイレスペースに対し、効率的で、最適な大きさのトイレットペーパー収納庫付きトイレ用ゴミ容器を提供できる。【選択図】図１
2009095623.tif 000002
【特許請求の範囲】
【請求項１】
トイレットペーパー収納庫の上に、トイレ用ゴミ容器を、着脱可能に積み重ね一体化しその容器の底面積の大きさを、トイレットペーパーのロール紙の外径の、それぞれ２個分３個分、４個分、５個分、６個分がちょうど入る大きさにした事を特徴とする、トイレットペーパー収納庫付きトイレ用ゴミ容器。
【請求項２】
該容器のトイレットペーパー収納庫は、それぞれトイレットペーパーを縦に３段以上積み重ねられる容量を持つ事を特徴とした、請求項１記載のトイレットペーパー収納庫付きトイレ用ゴミ容器。
【請求項３】
該容器のトイレットペーパー収納庫には、内部確認用の窓がある事を特徴とする、請求項２記載のトイレットペーパー収納庫付きトイレ用ゴミ容器。
【発明の詳細な説明】
【技術分野】
【０００１】  本発明は、トイレ用ゴミ容器に関する。
【背景技術】
【０００２】  一般家庭の既設のトイレにあって、トイレ用ゴミ容器は、大抵、各トイレに１台は置かれている。そして従来、トイレットペーパーの収納はトイレットペーパーホルダーに１〜２個程度収納できるだけで、後の残りは他所に保管し、その都度運んでくる、と言うのが一般的である。
【発明の開示】
【発明が解決しようとする課題】
【０００３】  日本の一般家庭の、既設のトイレのスペースは、決して広いとは言えず、且つ様々に異なっている。縦長のトイレ、横長のトイレ、ドアの位置や、手洗い、小便器の有無等によって異なり、まさに千差万別である。そんなトイレにあって、ゴミ容器は必要不可欠な物として、どこのトイレにも大抵１台は置いてある。それとても、大きなものは邪魔になるし、小さすぎても使いにくい。トイレのスペースにあった大きさが必要である。そして、もう一つ必要な物がトイレットペーパー収納庫である。上述したように、現状では予備のトイレットペーパーはトイレットペーパーホルダーに１〜２個程しか収納されていない。それが切れそうになる度に他所に保管してあるトイレットペーパーを運んで補充しなければならない。そんな煩わしい手間を省くためにも、トイレの中の手近かな所にトイレットペーパー収納庫が必要なのである。棚の上などではなく手近かにあれば、ホルダー内のトイレットペーパーが切れても、すぐその場で補充ができるからである。しかし上述したように、トイレ内のスペースは狭く、余分な物はできるだけ置きたくない。そこで本発明は、最低限必要不可欠なトイレ用ゴミ容器の占める床面積の中に、トイレットペーパー収納庫とトイレ用ゴミ容器とを一体化させた省スペースで新しいトイレットペーパー収納庫付きトイレ用ゴミ容器を、日本の一般家庭の、狭く千差万別な個々のトイレスペースに合った最適な大きさでもって提供する事を目的とするものである。
【課題を解決するための手段】
【０００４】  上記目的を達成するために、本発明の請求項１によるトイレットペーパー収納庫付きトイレ用ゴミ容器は、トイレットペーパー収納庫の上に、ゴミ容器を着脱可能に積み重ね一体化し、その底面積がトイレットペーパーのロール紙の外径の２個分、３個分、４個分５個分、６個分がちょうど入る大きさを持つ事を特徴とするものである。つまり、トイレットペーパー収納庫の底面積とその収納量との関係において、最も効率的で無駄のない大きさ、形の追求によって、これらのトイレットペーパーのロール紙の外径の個数に合わせた大きさが生まれたのである。又、請求項２によるトイレットペーパー収納庫付きトイレ用ゴミ容器は、請求項１記載の該容器において、トイレットペーパー収納庫の容量が、それぞれトイレットペーパーを縦に３段以上積み重ねられる容量を持っている事を特徴とするものである。又、請求項３によるトイレットペーパー収納庫付きトイレ用ゴミ容器は、請求項２記載の該容器において、トイレットペーパー収納庫の部分には、中が確認できるような窓が開けてある事を特徴とするものである。
【発明の効果】
【０００５】  上述したように、本発明のトイレットペーパー収納庫付きトイレ用ゴミ容器は、請求項１によれば、トイレットペーパー収納庫の上にゴミ容器が着脱可能に積み重ねられ一体化されており、ゴミ容器の占める床面積の中で、トイレにとって必要不可欠な、ゴミ容器とトイレットペーパー収納庫とが一体となっており、余分な物はできるだけ置きたくない、狭い一般家庭のトイレにあって、この様に省スペースなトイレットペーパー収納庫付きトイレ用ゴミ容器は必需品と言える。なにより、手近かに置けるので他所に保管する事に比べトイレットペーパーの補充が、その場で容易にできる。さらに、この容器の底面積の大きさは、トイレットペーパーのロール紙の外径の２個分、３個分、４個分、５個分、６個分がちょうど入る大きさを持つ。つまり、トイレットペーパーのロール紙の個数に合わせた底面積の大きさを持たせる事によって、日本の一般家庭の狭く、千差万別なそれぞれのトイレスペースに対して、トイレトペーパー収納庫とトイレ用ゴミ容器の必要性、利便性を最大限に生かした省スペースで且つ最適な大きさでのトイレットペーパー収納庫付きトイレ用ゴミ容器を提供できるものである。例えば、狭いトイレには、底面積が２個分、或いは、コーナーに納まりの良い３個分の大きさの該容器を、ゆったりと余裕のあるトイレには、トイレットペーパーの収納量の大きな、底面積が５個分、６個分の大きさのトイレットペーパー収納庫付きトイレ用ゴミ容器を提供出来るものである。【０００６】  請求項２によれば、トイレットペーパー収納庫は、それぞれトイレットペーパーを縦に３段以上積み重ねられる容量を持っているので、その底面積がトイレットペーパーのロール紙の外径の４個分、６個分がちょうど入る大きさの場合、市販のトイレットペーパーのパック（１２個入りパック、１８個入りパック）が丸ごと収納出来てしまうので、無駄なく便利である。又、請求項３によれば、上に積み重ねられたゴミ容器を取り外して収納庫内を見ることなく、内部確認用の窓からトイレットペーパーの多少を確認出来るので便利である。
【発明を実施するための最良の形態】
【０００７】  以下、本発明の実施の１形態を、図１〜７に基づいて説明する。図１（Ａ）において、１はトイレ用ゴミ容器本体で、ゴミ投入口４がある蓋部３を持つ。蓋部にゴミ投入口がなくてもよい。２はトイレットペーパー収納庫本体で、トイレットペーパーを縦に３段以上積み重ねて収納できる容量を持つ。５は内部確認用の窓である。図１（Ｂ）は、ゴミ容器を取り外した時のトイレットペーパー収納庫である。トイレットペーパー収納庫の上にトイレ用ゴミ容器を着脱可能な形で一体化して積み重ねる構造の一形態を示す断面図が図６（Ａ）（Ｂ）である。トイレットペーパー収納庫付きトイレ用ゴミ容器の底面積の大きさは、図７に示すように、トイレットペーパーのロール紙の外径のそれぞれ２個分、３個分、４個分、５個分、６個分がちょうど入る大きさを持つ。
【図面の簡単な説明】
【０００８】
【図１】  本発明のトイレットペーパー収納庫付きトイレ用ゴミ容器において、その底面積がトイレットペーパーのロール紙の外径の２個分がちょうど入る大きさを持つトイレットペーパー収納庫付きトイレ用ゴミ容器の一形態を示す斜視図（Ａ）と、そのトイレ用ゴミ容器を取り外した時の、トイレットペーパー収納庫の斜視図（Ｂ）である。
【図２】  本発明のトイレットペーパー収納庫付きトイレ用ゴミ容器において、その底面積がトイレットペーパーのロール紙の外径の３個分がちょうど入る大きさを持つトイレットペーパー収納庫付きトイレ用ゴミ容器の一形態を示す斜視図（Ｃ）と、そのトイレ用ゴミ容器を取り外した時の、トイレットペーパー収納庫の斜視図（Ｄ）である。
【図３】  本発明のトイレットペーパー収納庫付きトイレ用ゴミ容器において、その底面積がトイレットペーパーのロール紙の外径の４個分がちょうど入る大きさを持つトイレットペーパー収納庫付きトイレ用ゴミ容器の一形態を示す斜視図（Ｅ）と、そのトイレ用ゴミ容器を取り外した時の、トイレットペーパー収納庫の斜視図（Ｆ）である。
【図４】  本発明のトイレットペーパー収納庫付きトイレ用ゴミ容器において、その底面積がトイレットペーパーのロール紙の外径の５個分がちょうど入る大きさを持つトイレットペーパー収納庫付きトイレ用ゴミ容器の一形態を示す斜視図（Ｇ）と、そのトイレ用ゴミ容器を取り外した時の、トイレットペーパー収納庫の斜視図（Ｈ）である。
【図５】  本発明のトイレットペーパー収納庫付きトイレ用ゴミ容器において、その底面積がトイレットペーパーのロール紙の外径の６個分がちょうど入る大きさを持つトイレットペーパー収納庫付きトイレ用ゴミ容器の一形態を示す斜視図（Ｉ）と、そのトイレ用ゴミ容器を取り外した時の、トイレットペーパー収納庫の斜視図（Ｊ）である。
【図６】  本発明のトイレットペーパー収納庫付きトイレ用ゴミ容器において、トイレットペーパー収納庫の上にゴミ容器を着脱可能に積み重ね、一体化するための構造の一形態を示す断面図（Ｋ）（Ｌ）である。
【図７】  本発明のトイレットペーパー収納庫付きトイレ用ゴミ容器において、その底面積がトイレットペーパーのロール紙の外径の、それぞれ２個分、３個分、４個分、５個分、６個分がちょうど入る大きさ持つ事を示すトイレットペーパー収納庫付きトイレ用ゴミ容器の底面の平面図である。
【符号の説明】
【０００９】１  トイレ用ゴミ容器の本体
２  トイレットペーパー収納庫の本体
３  トイレ用ゴミ容器の蓋部
４  トイレ用ゴミ容器の蓋部のゴミ投入口
５  トイレットペーパー収納庫の内部確認用の窓
【図１】
2009095623.tif 000003
【図２】
2009095623.tif 000004
【図３】
2009095623.tif 000005
【図４】
2009095623.tif 000006
【図５】
2009095623.tif 000007
【図６】
2009095623.tif 000008
【図７】
2009095623.tif 000009